(57)【要約】【課題】田植機と兼用可能な湛水直播機を提供する。【解決手段】田植機と兼用される湛水直播機であって、機体に搭載される種子ホッパーと、種子を下方へ案内する導管を設け、前記導管の下端に、田植用フロートと交換して取り付けられる直播用フロートを備え、前記直播き用フロートには、前記導管の下端開口に連通する種子落下穴と、該種子落下穴の下端開口から下方へ突出する管部と、該管部の進行方向前端より前方に向けて上方傾斜する側面視三角形状の溝掘り部を備え、前記種子ホッパーに投入した種子が前記導管を落下して直播きフロートの種子落下穴より、前記溝掘り部により湛水の圃場に掘られた播種溝に直播きできる構成としている。【選択図】図１
2007215460.tif 000002
【特許請求の範囲】
【請求項１】
田植機と兼用される湛水直播機であって、
機体に搭載される種子ホッパーと、種子を下方へ案内する導管を設け、
前記導管の下端に、田植用フロートと交換して取り付けられる直播用フロートを備え、
前記直播き用フロートには、前記導管の下端開口に連通する種子落下穴と、該種子落下穴の下端開口から下方へ突出する管部と、該管部の進行方向前端より前方に向けて上方傾斜する側面視三角形状の溝掘り部を備え、
前記種子ホッパーに投入した種子が前記導管を落下して直播きフロートの種子落下穴より、前記溝掘り部により湛水の圃場に掘られた播種溝に直播きできる構成としていることを特徴とする湛水直播機。
【請求項２】
ミッドマウント型の湛水直播機であって、
機体に搭載される種子ホッパーと、種子を下方へ案内する導管を設け、
前記導管の下端に取り付けるフロートには、前記導管の下端開口に連通する種子落下穴と、該種子落下穴の下端開口から下方へ突出する管部と、該管部の進行方向前端より前方に向けて上方傾斜する側面視三角形状の溝掘り部を備え、
前記種子ホッパーに投入した種子が前記導管を落下して前記フロートの種子落下穴より、前記溝掘り部により湛水の圃場に掘られた播種溝に直播きできる構成としていることを特徴とする湛水直播機。
【発明の詳細な説明】
【技術分野】
【０００１】
本発明は、湛水直播機に関し、田植機と兼用可能とし、また、圃場の状態が安定しない湛水直播を安定して行えるようにするものである。
【背景技術】
【０００２】
種子を圃場に直播する直播機は、溝切り用爪車や覆土装置を備え、溝切り用爪車で圃場に播種溝を凹設し、該播種溝内に播種した後、播種溝を覆土装置で覆土するという一連の作業を一台の農作業機でできる構成とされている（特開平８−２９８８１３号等参照）。
一方、田植機ではポット等で育成した苗を、該田植機に搭載した植付装置で水田に植え付けている。
上記のように田植機では苗を植付装置で水田に植え付ける一方、直播機では圃場に播種溝を掘りながら種もみや、野菜の種子等を直播している。
このように機能が相違するため、田植機と直播機とは夫々専用機として設けられており、例えば、通常の田植えと直播を行う場合等においては、田植機と直播機の両方を必要とし、農機機械に要する費用が高くなり農家にとって負担が大きくなっている。
【０００３】
直播栽培方法としては乾田直播と湛水直播があり、乾田直播機では前記した溝切り用爪車や覆土装置を備えているが、湛水直播機の場合には、溝を表面から０．５〜１ｃｍ程度浅く掘って播種する表面播種となるため、表面から深く播種溝を掘る溝切り用爪車を必要とせず、かつ、播種した後には泥土で自然に覆土されるため、覆土装置も必要としない。  田植機と湛水直播機とは、その作業工程が相違するものであるため、乗用型の湛水直播機では田植機の走行部と駆動機構を用いている場合もあるが、湛水直播用のフロートを備えた専用の湛水直播機とされている。よって、田植機と湛水直播機との両方が必要となる点は改善されていない。
【０００４】
【特許文献１】特開平８−２９８８１３号公報
【発明の開示】
【発明が解決しようとする課題】
【０００５】
本発明は、前記問題に鑑みてなされたもので、湛水直播機を田植機とは別の専用機とせずに、田植機を湛水直播機としても活用できるようにすることを第１の課題としている。  また、圃場が泥状態の湛水圃場において、直播を安定して行えるようにすることを第２の課題としている。
【課題を解決するための手段】
【０００６】
前記第１の課題を解決するため、第１の発明として、田植機と兼用される湛水直播機であって、
機体に搭載される種子ホッパーと、種子を下方へ案内する導管を設け、
前記導管の下端に、田植用フロートと交換して取り付けられる直播用フロートを備え、  前記直播き用フロートには、前記導管の下端開口に連通する種子落下穴と、該種子落下穴の下端開口から下方へ突出する管部と、該管部の進行方向前端より前方に向けて上方傾斜する側面視三角形状の溝掘り部を備え、
前記種子ホッパーに投入した種子が前記導管を落下して直播きフロートの種子落下穴より、前記溝掘り部により湛水の圃場に掘られた播種溝に直播きできる構成としていることを特徴とする湛水直播機を提供している。
【０００７】
前記第１の発明は湛水直播機は田植え機と兼用しており、種子ホッパーは田植機における側条施肥ホッパーとして用いられるものであり、田植機として用いられる場合には、種子ホッパーには種子を投入せず、肥料を投入して利用している。
種子ホッパーと連結する導管は、田植機として用いられる場合には施肥導管となるが、湛水直播機として活用する場合には、前記のように種子導管として用いられる。
【０００８】
前記導管の下端には、田植え用フロート、直播用フロートとを交換して着脱自在に連結できる構成としている。よって、田植機として用いる場合には田植えフロートを導管の下端に連結する一方、湛水直播機の場合には田植えフロートを取り外して、直播用フロートを導管の下端に連結している。
【０００９】
前記第２の課題を解決するため、第２の発明として、ミッドマウント型の湛水直播機であって、
機体に搭載される種子ホッパーと、種子を下方へ案内する導管を設け、
前記導管の下端に取り付けるフロートには、前記導管の下端開口に連通する種子落下穴と、該種子落下穴の下端開口から下方へ突出する管部と、該管部の進行方向前端より前方に向けて上方傾斜する側面視三角形状の溝掘り部を備え、
前記種子ホッパーに投入した種子が前記導管を落下して前記フロートの種子落下穴より、前記溝掘り部により湛水の圃場に掘られた播種溝に直播きできる構成としていることを特徴とする湛水直播機を提供している。
【００１０】
第２の発明の湛水直播機は、前後車輪上に機体が支承され、該機体の後部に運転席が搭載され、前記前後車輪間にフロートを配置したミッドマウント型の湛水直播機としているため、安定した状態で湛水直播作業を行うことができる。
このミッドマウント型の湛水直播機は湛水直播専用としても良いし、第１の発明と同様に、ミッドマウント型田植機と兼用することもできる。
【００１１】
第１の発明および第２の発明のいずれにおいても、前記種子ホッパーに設ける定量供給手段としては、繰出ロール式が好適に用いられるが、目皿回転式、傾斜ベルト式等の採用してもよい。
また、同時に肥料や薬剤が必要な場合には、種子ホッパーに施肥ホッパー、施薬ホッパーを設け、種子に肥料、薬剤を混合して導管へ供給してもよい。
【発明の効果】
【００１２】
上述したように、第１の発明では、田植用フロートを直播用フロートに交換するだけでミッドマウント型田植機を湛水直播機として兼用可能としているため、専用の湛水直播機を不要とでき農家が農機具に費やすコストを低減することができる。
【００１３】
第２の発明では、ミッドマウント型の湛水直播機としているため、圃場が不安定な湛水土壌において安定した状態で直播を行うことができ、作業員の負担を軽減することができる。
【発明を実施するための最良の形態】
【００１４】
以下、本発明の実施形態を図面を参照して説明する。
図１乃至図４はミッドマウント型の湛水直播機を示し、該湛水直播機はミッドマウント型の田植機と兼用しており、田植え用フロートを直播用フロートに交換して、湛水直播機１０としている。
【００１５】
機体１２を左右の２つの後輪１４と中央の１つの前輪１３とで支持し、機体１２の後端側に運転席１５、該運転席１５の下部にエンジン１８を設置すると共に、運転席１５の前方にエンジン操作用スイッチ、アクセルレバー、変速レバーや植付レバー等の各種の操作台１６を搭載し、該操作台１６の上面からハンドル１７を突設している。
機体１２の前部には種子ホッパー２０を搭載している。該種子ホッパー２０は田植機の側条施肥用ホッパーとして搭載されているものであり、湛水直播機に利用する場合には肥料に変えて種子を投入して種子ホッパーとして用いている。
前記種子ホッパー２０の後部で且つ前輪１３と後輪１４との間には、田植機として用いる場合に必要な苗載台３０が配置されていると共に、該苗載台３０の下方に植付装置３１が配置されている。
【００１６】
図２に示すように、前記種子ホッパー２０の一方側に施肥ホッパー２１、他側方に施薬ホッパー２２を配置している。種子ホッパー２０、施肥ホッパー２１、施薬ホッパー２２の内部に夫々定量繰り出し用のロール２４を配置して、吐出管２０ａ、２１ａ、２２ａに設定量を吐出させている。これらの吐出管２０ａ〜２２ａに１本の導管２５の上端を連結し、種子に肥料と薬剤を所定の割合で混合した混合物を送給する構成としている。
前記ロール２４は植付装置３１と連動させて種子、肥料、薬剤を導管２５に繰り出すようにしている。
本実施形態では、田植機を４条用としているため、前記３つのホッパー２０〜２２を１組として間隔をあけて２組搭載しているが、６条用田植機であれば３組、８条用田植機であれば４組搭載している。
【００１７】
前記直播用フロート３５は前輪１３と後輪１４との間で、これら前後車輪１３と１４の下端位置より所要寸法上方で、圃場の湛水接地面に沿う位置に配置している。
【００１８】
前記直播用フロート３５は、図３に示すように、上面に左右両側に導管連結用の上部管部３６を突設し、各上部管部３６に導管２５の下端を外嵌して締結バンド（図示せず）等で着脱自在に連結している。該上部管部３６の突設位置には、該管部３６の中空部３６ａと連通させた種子落下穴３７を設けている。
直播用フロート３５の下面には、種子落下穴３７の下端開口の周縁に沿って下向きに突設した下部管部３８を設け、該下部管部３８の進行方向前側周縁より前方に向けて上方傾斜する側面視三角形状の溝掘り部３９を設けている。
【００１９】
前記構成のミッドマウント型の湛水直播機では、導管２５に直播用フロート３５を連結していることで、図４に示すように、走行に応じて、溝掘り部３９により湛水の接地面に浅く窪んだ播種溝５０を掘り、続いて、掘られた播種溝５０に、導管２５より上部管部３６、種子落下穴３７、下部導管３８を通して、肥料と薬剤と混合した種子１００を播種することができる。
播種溝５０に種子１００が直播された後、接地面が湛水状態の泥であるため、泥が播種溝に自動的に覆いかぶさり、覆土装置により覆土することなく、直播された種子が埋められた状態となる。    
【００２０】
田植機として使用する場合には、前記導管２５に連結している直播用フロート３５を、田植用フロート（図示せず）に交換している。
この場合には、種子ホッパー２０には種子を供給せず、施肥ホッパー２１と施薬ホッパー２２から肥料と薬剤を所定の割合で混合した混合物を導管２５を通して田植用フロート側に送給し、苗植え付け部の側部に肥料を供給している。
なお、空きとなる種子ホッパー２０には、肥料が複数種類であれば、肥料ホッパーに投入する肥料と異なる肥料を供給すれば、２台の肥料ホッパーとして役立たせることができる。
【００２１】
さらに、前記直播機は、ミッドマウント型の田植機と併用しているため、泥状態の不安定な圃場において、安定した状態で走行しながら直播を行うことができ、作業者の負担を軽減できる。
【００２２】
前記実施形態は、ミッドマウント型の田植機と兼用した湛水直播機としているが、田植機と兼用せずに、専用のミッドマウント型湛水直播機としてもよい。
この場合、前記実施形態との相違点は、苗載台や植付装置等の田植時のみに用いる田植専用装置を搭載していない点が相違し、運転台を搭載した機体、前後車輪を含む走行装置や駆動装置は前記実施形態と同一であるため、図示を省略する。
さらに、前記実施形態と同様に、種子ホッパーと施肥ホッパーと施薬ホッパーの３台のホッパーを並列してもよいが、ホッパーは種子ホッパーの１台だけとし、予め所定割合に調合した種子と肥料と薬剤とを１台の種子ホッパーに挿入しても良い。
【００２３】
このように、湛水直播機をミッドマウント型とすると、前記したように、泥状態の不安定な圃場において、安定した状態で走行しながら直播を行うことができ、作業者の負担を軽減できる。  
また、ミッドマウント型田植機と機体、走行部、駆動部を共用でき、苗載台、植付装置、苗植付用の駆動装置を搭載せずに、フロートを変更するだけで、簡単にミッドマウント型湛水直播機を製造することができる。
【図面の簡単な説明】
【００２４】
【図１】本発明の実施形態にかかる直播機の側面図である。
【図２】種子ホッパーを示す図面である。
【図３】直播用フロートを示し、（Ａ）は正面図、（Ｂ）は側面図である。
【図４】直播状況を示す説明図である。
【符号の説明】
【００２５】
１０                直播機
１２                機体
１３                前輪
１４                後輪
２０                種子ホッパー
２１                施肥ホッパー
２２                施薬ホッパー
２５                導管
３５                直播用フロート
３７                種子落下穴
３９                溝堀り部
【図１】
2007215460.tif 000003
【図２】
2007215460.tif 000004
【図３】
2007215460.tif 000005
【図４】
2007215460.tif 000006